(57)【要約】【課題】管理者に煩雑な操作を強いることなく、演出役物を搬送位置に移動させる。【解決手段】遊技機は、移動可能な演出役物１３９ａ、１３９ｂと、演出役物を移動制御する演出役物制御手段と、を備え、演出役物制御手段は、遊技者とは異なる管理者の操作に起因して、演出役物を所定の搬送位置に移動させた後、少なくとも所定期間、演出役物を搬送位置に維持する。管理者は、演出役物が搬送位置に維持されている間に、電源を遮断することにより、演出役物を搬送位置に維持させることができる。【選択図】図９
2018061525.tif 000002
【特許請求の範囲】
【請求項１】
移動可能な演出役物と、
前記演出役物を移動制御する演出役物制御手段と、を備え、
前記演出役物制御手段は、
遊技者とは異なる管理者の操作に起因して、前記演出役物を所定の搬送位置に移動させた後、少なくとも所定期間、前記演出役物を前記搬送位置に維持することを特徴とする遊技機。
【請求項２】
前記演出役物制御手段は、
電源が投入されると、前記演出役物を前記搬送位置に移動させることを特徴とする請求項１に記載の遊技機。
【請求項３】
筐体と、
前記筐体に対して開閉可能に取り付けられた扉と、
前記扉が前記筐体に対して開放されることで、前記管理者が操作可能となる管理者メニューを表示するためのスイッチと、をさらに備え、
前記演出役物制御手段は、
前記スイッチが操作され、前記管理者メニューに対する所定の操作がなされると、前記演出役物を前記搬送位置に移動させることを特徴とする請求項１に記載の遊技機。
【請求項４】
筐体と、
前記筐体に対して開閉可能に取り付けられた扉と、をさらに備え、
前記演出役物制御手段は、
前記扉が前記筐体に対して開放されると、前記演出役物を前記搬送位置に移動させることを特徴とする請求項１に記載の遊技機。
【発明の詳細な説明】
【技術分野】
【０００１】
本発明は、遊技者に遊技上の利益を付与するか否かを抽選により決定する遊技機に関する。
【背景技術】
【０００２】
遊技機としてのスロットマシンでは、遊技者によるメダル（遊技媒体）のベットおよびスタートスイッチの操作に応じて、当選役の抽選を行うとともに、種々の図柄が記された複数の回転リールが回転する。そして、抽選結果と遊技者によるストップスイッチの操作に応じて回転リールが順次停止され、払い出しの対象となるライン上である有効ライン上に、当選役に対応する図柄組み合わせが表示されると、所定枚数のメダルが払い出されるなど、遊技上の利益（以下、単に遊技利益という）が遊技者に付与されることとなる。
【０００３】
このような遊技機においては、演出用の演出役物装置が設けられているものもあり、遊技の進行に応じて演出役物装置の演出役物をさまざまな態様で移動させることにより、演出効果を向上するようにしている。
【０００４】
ところで、遊技機は、トラック等の車両によってホールに搬送される。このとき、振動等によって遊技機、特に演出役物に外力が加わると、演出役物が移動して破損するおそれがある。そこで、遊技機を搬送する際に、演出役物を固定器具によって固定することで、搬送中に演出役物が破損してしまうことを防止している（例えば、特許文献１）。
【先行技術文献】
【特許文献】
【０００５】
【特許文献１】特開２０１０−２３４０１８号公報
【発明の概要】
【発明が解決しようとする課題】
【０００６】
上記したように、演出役物は、演出の進行に応じて移動するため、電源が遮断された際に、演出役物が固定器具によって固定される搬送位置に保持されているとは限らない。演出役物が搬送位置に保持されていない場合には、管理者は、演出役物を搬送位置に移動させなければならず、煩わしい作業を強いられることになる。
【０００７】
本発明は、このような課題に鑑み、管理者に煩雑な操作を強いることなく、演出役物を搬送位置に移動させることが可能な遊技機を提供することを目的としている。
【課題を解決するための手段】
【０００８】
上記課題を解決するために、本発明の遊技機は、移動可能な演出役物と、前記演出役物を移動制御する演出役物制御手段と、を備え、前記演出役物制御手段は、遊技者とは異なる管理者の操作に起因して、前記演出役物を所定の搬送位置に移動させた後、少なくとも所定期間、前記演出役物を前記搬送位置に維持する。
【０００９】
また、前記演出役物制御手段は、電源が投入されると、前記演出役物を前記搬送位置に移動させるとよい。
【００１０】
また、筐体と、前記筐体に対して開閉可能に取り付けられた扉と、前記扉が前記筐体に対して開放されることで、前記管理者が操作可能となる管理者メニューを表示するためのスイッチと、をさらに備え、前記演出役物制御手段は、前記スイッチが操作され、前記管理者メニューに対する所定の操作がなされると、前記演出役物を前記搬送位置に移動させるとよい。
【００１１】
また、筐体と、前記筐体に対して開閉可能に取り付けられた扉と、をさらに備え、前記演出役物制御手段は、前記扉が前記筐体に対して開放されると、前記演出役物を前記搬送位置に移動させるとよい。
【発明の効果】
【００１２】
本発明によれば、管理者に煩雑な操作を強いることなく、演出役物を搬送位置に移動させることが可能となる。
【図面の簡単な説明】
【００１３】
【図１】スロットマシンの概略的な機械的構成を説明するための外観図である。
【図２】スロットマシンの概略的な機械的構成を説明するための前面扉を開いた状態での外観図である。
【図３】リールの図柄配列および有効ラインを説明する図である。
【図４】スロットマシンの概略的な電気的構成を示したブロック図である。
【図５】当選役を説明するための説明図である。
【図６】遊技状態の遷移を説明するための説明図である。
【図７】当選役抽選テーブルを示す図である。
【図８】演出役物の移動について説明する図である。
【図９】電源投入時の演出役物の移動について説明する図である。
【図１０】主制御基板のメイン処理を示したフローチャートである。
【図１１】副制御基板のサブ処理を示したフローチャートである。
【図１２】コマンド受信処理を示したフローチャートである。
【図１３】管理者メニューを説明するための図である。
【図１４】管理者メニュー処理を示したフローチャートである。
【図１５】前面上扉および前面下扉が筐体に対して開放された際の演出役物の移動を説明するための図である。
【図１６】前面上扉および前面下扉が筐体に対して開閉された際の扉開閉処理を示したフローチャートである。
【図１７】コマンド受信処理を示したフローチャートである。
【発明を実施するための形態】
【００１４】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
本発明の実施形態の理解を容易にするため、まず、遊技者が遊技可能なスロットマシン（遊技機）の機械的構成および電気的構成を簡単に説明し、その後、スロットマシンの各基板における具体的な処理（役構成や遊技状態の遷移）および本実施形態で特徴的な処理を説明し、これらを実現するためのフローチャートを詳述する。
【００１６】
<第１の実施形態>
（スロットマシン１００の機械的構成）
図１および図２の外観図に示すように、スロットマシン１００は、略矩形状の箱体である筐体１０２と、筐体１０２の前面開口部に対して開閉可能に取り付けられた前面上扉１０４と、前面上扉１０４の下方に位置し、前面上扉１０４同様、筐体１０２の前面開口部に対して開閉可能に取り付けられた前面下扉１０６と、前面下扉１０６の下部に位置し、メダル排出口１０８ａから払い出されたメダルを貯留するための受け皿部１０８とを備えている。
【００１７】
本実施形態では、前面上扉１０４および前面下扉１０６の幅方向一端部（スロットマシン１００の正面視で左端部）にヒンジ機構が設けられていることから、前面上扉１０４および前面下扉１０６の幅方向他端部（スロットマシン１００の正面視で右端部）が自由端となる。
【００１８】
そして、前面下扉１０６の自由端（幅方向他端部）側には、正面に鍵穴１１０ａを開口させた錠前１１０が設けられている。前面上扉１０４および前面下扉１０６が筐体１０２に対して閉じられた状態で、鍵穴１１０ａに鍵を挿入して解錠操作することにより、前面上扉１０４および前面下扉１０６が筐体１０２に対して開放可能な状態となる。
【００１９】
前面下扉１０６の上部には操作部設置台１２２が形成され、操作部設置台１２２には、メダル投入部１２４、ベットスイッチ１２６、スタートスイッチ１２８、ストップスイッチ１３０等が配設されている。
【００２０】
操作部設置台１２２の右側に位置するメダル投入部１２４は、メダル投入口１２４ａを通じて遊技媒体としてのメダルの投入を受け付け、前面下扉１０６の背面に設けられたメダルセレクタ（図示せず）にメダルを送る。メダルセレクタには、メダルの投入が可能な投入期間外に投入されたメダルや規格外のメダルをメダル排出口１０８ａに導くブロッカー（図示せず）と、投入期間内に投入された規格内のメダルの通過を検出する投入メダル検出部１２４ｂとが設けられている。ここで、メダル排出口１０８ａに導かれたメダルは受け皿部１０８に排出される。遊技者により、１遊技を開始するために必要なメダルの投入数である規定投入数（例えば３枚）を超えてメダルが投入されると、その規定投入数を超えた分のメダルが、所定枚数（例えば５０枚）を上限としてスロットマシン１００の内部に電気的に貯留（以下、単にクレジットという）される。上記１遊技については後程詳述する。
【００２１】
ベットスイッチ１２６は、クレジットされているメダルのうち規定投入数のメダルを投入（ベット）する、押圧式のボタンスイッチである。規定投入数以上のメダルがクレジットされている状態で、ベットスイッチ１２６を押圧すると、１遊技が開始可能となるとともに、クレジットされているメダルが規定投入数分だけ減枚される。
【００２２】
操作部設置台１２２の左側に位置するスタートスイッチ１２８は、傾倒操作を検出可能なレバーで構成され、遊技者による１遊技の開始操作を検出する。また、スタートスイッチ１２８は、押圧操作を検出可能なボタンスイッチによって構成することも可能である。
【００２３】
前面上扉１０４の下部略中央には、ガラス板や透明樹脂板等で構成された無色透明の図柄表示窓１３６が設けられ、筐体１０２内の図柄表示窓１３６に対応した位置には、リールユニット１３４が設けられている。リールユニット１３４には、図３（ａ）のリールの図柄配列に示すように、２１に等分された各領域に複数種類の図柄がそれぞれ配列された３つの回転リール１３４ａ、１３４ｂ、１３４ｃが、それぞれ独立して回動可能に設けられ、遊技者は、図柄表示窓１３６を通じて、回転リール１３４ａ、１３４ｂ、１３４ｃを左側から順に視認することができる。リールユニット１３４は、スタートスイッチ１２８の操作を契機として、回転リール１３４ａ、１３４ｂ、１３４ｃの回転を開始する。
【００２４】
操作部設置台１２２の中央に位置するストップスイッチ１３０は、回転リール１３４ａ、１３４ｂ、１３４ｃそれぞれに対応して設けられた、遊技者の押圧操作を検出可能なボタンスイッチであり、回転リール１３４ａ、１３４ｂ、１３４ｃそれぞれを停止させようとする遊技者の停止操作を検出する。なお、ストップスイッチ１３０に係る３つのボタンスイッチを、その位置に応じて左から順にストップスイッチ１３０ａ、１３０ｂ、１３０ｃとする。
【００２５】
このように、ストップスイッチ１３０ａ、１３０ｂ、１３０ｃを通じた停止操作により、回転リール１３４ａ、１３４ｂ、１３４ｃがそれぞれ停止する。ここでは、その停止態様を遊技者が把握できるように、図３（ｂ）のように、有効ラインが設けられている。有効ラインは１本であり、具体的に、図柄表示窓１３６に臨む９つの図柄（３リール×上中下の３段）のうち、回転リール１３４ａ、１３４ｂ、１３４ｃの中段に停止する図柄に対応する位置を結んだラインを当選役の入賞を判定するための有効ラインＡとして設定している。
【００２６】
前面上扉１０４の上部略中央には、演出に伴う様々な映像を表示する液晶表示部（画像表示部）１３８が設けられている。また、演出スイッチ１３２は、詳しくは後述するように、管理者の操作に応じて、管理者メニューを操作する際にも用いられる。なお、本実施形態において、管理者は、遊技を行う遊技者とは異なる者であり、例えば、ホール店員、製造者、運搬者等を指す。
【００２７】
前面上扉１０４の上部略中央には、演出に伴う様々な映像を表示する液晶表示部（画像表示部）１３８が設けられている。また、液晶表示部１３８の前方には、それぞれ個別に移動可能な演出役物１３９ａ、１３９ｂを有する演出役物装置１３９が設けられている。演出役物１３９ａ、１３９ｂは、詳しくは後述するように、通常、液晶表示部１３８の左側であって、前面上扉１０４の上枠部１０４ａ内に退避しているが、遊技中の所定のタイミングで、アクチュエータの駆動により、上枠部１０４ａ内から液晶表示部１３８の前方まで移動して、例えば遊技者にボーナスの期待感を付与する。また、前面上扉１０４の上部や左右には、例えば高輝度の発光ダイオード（ＬＥＤ）によって構成される演出用ランプ１４２が設けられる。
【００２８】
また、図２に示すように、前面上扉１０４の裏面における液晶表示部１３８の左右位置や前面下扉１０６の裏面における内面左右位置には、効果音や楽音等による聴覚的な演出を行うスピーカ１４０が設けられている。さらに、筐体１０２内におけるリールユニット１３４の下方には、メダル排出口１０８ａからメダルを払い出すためのメダル払出装置（メダルホッパー）２６４が設けられている。メダル払出装置２６４は、メダルを貯留するメダル貯留部２６４ａと、メダル貯留部２６４ａに貯留されたメダルをメダル排出口１０８ａから排出するための払出制御部２６４ｂと、メダル排出口１０８ａから排出されるメダルを検出する払出メダル検出部２６４ｃとを備えている。
【００２９】
また、図１や図２では図示していないが、各回転リール１３４ａ、１３４ｂ、１３４ｃの内側には、それぞれに施された図柄のうち、図柄表示窓１３６に対応する各回転リール１３４ａ、１３４ｂ、１３４ｃの上段、中段、下段の図柄を背面から個々に独立して照射するリールバックライト１４４（図４参照）が設けられている。また、図柄表示窓１３６の裏面上部にも回転リール１３４ａ、１３４ｂ、１３４ｃ全ての正面を直接照射するリール上方ライト１４６が設けられている。
【００３０】
また、図１に示すように、操作部設置台１２２において、図柄表示窓１３６とストップスイッチ１３０との間に設けられた段部１２２ａの略水平面には、メインクレジット表示部１５２およびメイン払出表示部１５４が設けられている。また、図柄表示窓１３６と操作部設置台１２２との間には、サブクレジット表示部１５６およびサブ払出表示部１５８が設けられている。これらメインクレジット表示部１５２およびサブクレジット表示部１５６にはクレジット枚数が表示され、メイン払出表示部１５４およびサブ払出表示部１５８にはメダルの払出枚数が表示される。なお、サブクレジット表示部１５６およびサブ払出表示部１５８には、演出に伴う様々な数値を表示することもできる。
【００３１】
また、筐体１０２内の任意の位置には、電源スイッチ１４８が設けられている。電源スイッチ１４８は、ロッカースイッチ等、押圧操作を検出可能なスイッチで構成され、当該スロットマシン１００を管理する管理者側が操作し、電源の切断状態と電源の投入状態の２つの状態を切り換えるために用いられる。
【００３２】
なお、本実施形態において、上記１遊技は、メダル投入部１２４を通じたメダルの投入、ベットスイッチ１２６の操作を通じたクレジットされているメダルの投入、または、リプレイ役が有効ラインＡ上に表示されたことに基づくメダルの自動投入のいずれかが行われてから、遊技者によるスタートスイッチ１２８の操作に応じて、複数の回転リール１３４ａ、１３４ｂ、１３４ｃが回転制御されるとともに当選役抽選が実行され、当選役抽選の抽選結果および遊技者による複数のストップスイッチ１３０ａ、１３０ｂ、１３０ｃの操作に応じて、操作されたストップスイッチ１３０ａ、１３０ｂ、１３０ｃに対応する回転リール１３４ａ、１３４ｂ、１３４ｃがそれぞれ停止制御され、メダルの払い出しを受け得る当選役に入賞した場合、そのメダルの払い出しが実行されるまでの遊技をいう。また、メダルの払い出しを受け得る当選役に非当選であった場合または当選したが入賞しなかった場合、回転リール１３４ａ、１３４ｂ、１３４ｃが全て停止したことをもって１遊技が終了する。ただし、１遊技の開始を、上記のメダルの投入、または、リプレイ役の当選の代わりに、遊技者によるスタートスイッチ１２８の操作と読み替えてもよい。また、かかる１遊技が繰り返される数を遊技数とする。
【００３３】
また、前面上扉１０４の内部には、演出に関する処理を実行する副制御基板２０２が設けられており、副制御基板２０２には、管理者メニューを液晶表示部１３８に表示するための管理者メニュースイッチ２０２ｅが設けられている。
【００３４】
（スロットマシン１００の電気的構成）
図４は、スロットマシン１００の概略的な電気的構成を示したブロック図である。図４に示すように、スロットマシン１００は、主として、制御基板によって制御されている。ここでは、制御基板の一例として、制御基板の機能を分担した、主制御基板２００と、副制御基板２０２とを挙げて説明する。例えば、遊技の進行に関わるプログラムのうち、遊技に供する当選役の抽選やその入賞といったような、特に重要な処理を主制御基板２００で実行し、それ以外の例えば演出に関する処理を副制御基板２０２で実行している。また、図４に示したように、主制御基板２００と副制御基板２０２との間の電気的な信号の伝達は、不正防止等の観点から、主制御基板２００から副制御基板２０２への一方向のみに制限される。ただし、このような制限がなければ、電気的に双方向通信も技術的に可能である。
【００３５】
（主制御基板２００）
主制御基板２００は、中央処理装置であるメインＣＰＵ２００ａ、プログラム等が格納されたメインＲＯＭ２００ｂ、ワークエリアとして機能するメインＲＡＭ２００ｃ等を含む各種半導体集積回路を有し、スロットマシン１００全体を統括的に制御する。ただし、メインＲＡＭ２００ｃには不図示のバックアップ電源が接続されており、電源が切断された場合においても、設定変更が行われてメインＲＡＭ２００ｃのＲＡＭクリアを実行しない限り、データが消去されることなく保持される。
【００３６】
また、主制御基板２００は、メインＣＰＵ２００ａが、メインＲＯＭ２００ｂに格納されたプログラムに基づきメインＲＡＭ２００ｃと協働することで機能する、初期化手段３００、ベット手段３０２、当選役抽選手段３０４、リール制御手段３０６、判定手段３０８、払出制御手段３１０、状態移行手段３１２、コマンド決定手段３１４、コマンド送信手段３１６、扉開閉検出手段３１８等の機能部を有する。
【００３７】
初期化手段３００は、主制御基板２００における初期化処理を実行する。ベット手段３０２は、遊技に使用するためのメダルをベットする。ここで、ベットは、ベットスイッチ１２６の操作を通じてクレジットされているメダルを投入する場合と、メダル投入部１２４を通じてメダルを投入する場合と、リプレイ役が有効ラインＡ上に表示されたことに基づいてメダルを自動投入する場合のいずれも含む。当選役抽選手段３０４は、メダルのベットおよびスタートスイッチ１２８の操作に基づき、小役、リプレイ役、および、ボーナス役を含む複数種類の当選役、ならびに、不当選のうちいずれかを当選役抽選により決定する。
【００３８】
リール制御手段３０６は、スタートスイッチ１２８の操作に応じて、複数の回転リール１３４ａ、１３４ｂ、１３４ｃを回転制御し、回転している回転リール１３４ａ、１３４ｂ、１３４ｃにそれぞれ対応した複数のストップスイッチ１３０ａ、１３０ｂ、１３０ｃの操作に応じ、操作されたストップスイッチ１３０ａ、１３０ｂ、１３０ｃに対応する回転リール１３４ａ、１３４ｂ、１３４ｃをそれぞれ停止制御する。また、リール制御手段３０６は、スタートスイッチ１２８の操作に応じて、前回の遊技においてストップスイッチ１３０の操作を有効化してから、当選役抽選の抽選結果を表示するために遊技者によるストップスイッチ１３０の操作を有効化するまで（前回の遊技におけるストップスイッチ１３０の操作完了により無効化されている）の時間を規定の時間（ウェイト時間、例えば、４．１秒）より延長し、その間、回転リール１３４ａ、１３４ｂ、１３４ｃを多彩な態様で回転制御するリール演出（フリーズ演出）を行う場合がある。リール演出は、本来有効となるべき任意のスイッチを所定時間有効にしなかったり、本来実行されるべき処理を所定時間保留したり、本来送受信されるべき任意のスイッチの信号を所定時間送信または受信させなかったりすることでも実現できる。
【００３９】
判定手段３０８は、当選役抽選で決定した当選役に対応する図柄組み合わせが有効ラインＡ上に表示されたか否か判定する。ここで、当選役抽選で決定した当選役に対応する図柄組み合わせが有効ラインＡ上に表示されることを単に入賞という場合がある。払出制御手段３１０は、当選役抽選で決定した当選役に対応する図柄組み合わせが有効ラインＡ上に表示されたこと（入賞したこと）に基づいて、当該当選役に対応する数だけメダルを払い出す。状態移行手段３１２は、ボーナス役の当選や入賞に基づいて遊技状態を遷移させる。
【００４０】
コマンド決定手段３１４は、ベット手段３０２、当選役抽選手段３０４、リール制御手段３０６、判定手段３０８、払出制御手段３１０、状態移行手段３１２等の動作に伴う、遊技に関するコマンドを順次決定する。コマンド送信手段３１６は、コマンド決定手段３１４が決定したコマンドを副制御基板２０２に順次送信する。
【００４１】
主制御基板２００では、投入メダル検出部１２４ｂ、ベットスイッチ１２６、スタートスイッチ１２８およびストップスイッチ１３０から各種の検出信号を受信しており、受信した検出信号に基づいて、ベット手段３０２、当選役抽選手段３０４、リール制御手段３０６、判定手段３０８が上述した種々の処理を実行する。また、主制御基板２００には、メインクレジット表示部１５２およびメイン払出表示部１５４が接続されており、払出制御手段３１０が両表示部１５２、１５４に対してメダルのクレジット枚数や払出枚数の表示を制御する。
【００４２】
また、主制御基板２００には、リール駆動制御部２５８が接続されている。このリール駆動制御部２５８は、スタートスイッチ１２８の操作信号に応じ、リール制御手段３０６から送信される各回転リール１３４ａ、１３４ｂ、１３４ｃの回転開始信号に基づいて、ステッピングモータ２６２を駆動するとともに、ストップスイッチ１３０の操作信号に応じ、リール制御手段３０６から送信される、回転リール１３４ａ、１３４ｂ、１３４ｃそれぞれの停止信号および回転位置検出回路２６０の検出信号に基づいて、ステッピングモータ２６２の駆動を停止する。
【００４３】
また、主制御基板２００には、メダル払出装置２６４が接続されている。主制御基板２００には払出メダル検出部２６４ｃの検出信号が入力されるようになっており、払出制御手段３１０は、その検出信号に応じてメダルの払出枚数を計数しながら払出制御部２６４ｂからのメダルの排出を制御する。
【００４４】
また、主制御基板２００には、乱数発生器２００ｄが設けられる。乱数発生器２００ｄは、計数値を順次インクリメントし、所定の総数（例えば６５５３６）内でループさせ（０〜６５５３５）、所定の時点における計数値を抽出することで乱数を生成（取得）する。主制御基板２００の乱数発生器２００ｄによって生成される乱数（以下、当選役抽選乱数という）は、遊技者に付与する遊技利益、例えば、当選役抽選手段３０４が当選役を決定するために用いられる。
【００４５】
また、主制御基板２００には、前面上扉１０４および前面下扉１０６（図１参照）の開閉を検出する扉開閉スイッチ２６６が接続されている。扉開閉検出手段３１８は、扉開閉スイッチ２６６の検出信号に応じて、前面上扉１０４および前面下扉１０６の開閉を判定し、判定結果に基づいた処理を実行する。
【００４６】
（副制御基板２０２）
また、副制御基板２０２は、主制御基板２００と同様に、中央処理装置であるサブＣＰＵ２０２ａ、プログラム等が格納されたサブＲＯＭ２０２ｂ、ワークエリアとして機能するサブＲＡＭ２０２ｃ等を含む各種半導体集積回路を有し、主制御基板２００からのコマンドに基づき、特に演出を制御する。また、サブＲＡＭ２０２ｃにもメインＲＡＭ２００ｃ同様、不図示のバックアップ電源が接続されており、電源が切断された場合においても、データが消去されることなく保持される。なお、副制御基板２０２にも、主制御基板２００同様、乱数発生器２０２ｄが設けられており、乱数発生器２０２ｄによって生成される乱数（以下、演出抽選乱数という）は、主に演出の態様を決定するために用いられる。
【００４７】
また、副制御基板２０２は、サブＣＰＵ２０２ａが、サブＲＯＭ２０２ｂに格納されたプログラムに基づき、サブＲＡＭ２０２ｃと協働することで機能する、初期化決定手段３３０、コマンド受信手段３３２、演出制御手段３３４、演出役物制御手段３３６等の機能部を有する。
【００４８】
初期化決定手段３３０は、副制御基板２０２における初期化処理を実行する。コマンド受信手段３３２は、主制御基板２００等、他の制御基板からのコマンドを受信し、コマンドに対する処理を行う。演出制御手段３３４は、当選役コマンドに基づいて液晶表示部１３８、スピーカ１４０、演出用ランプ１４２の各デバイスで行われる遊技の演出を決定する。具体的に、演出制御手段３３４は、演出役物装置１３９を移動させるための移動データや、液晶表示部１３８に表示される画像データや、演出用ランプ１４２、リールバックライト１４４、リール上方ライト１４６、サブクレジット表示部１５６、サブ払出表示部１５８等の電飾機器を通じた演出のための電飾データを決定するとともに、スピーカ１４０から出力すべき音声を構成する音声データを決定する。そして、演出制御手段３３４は、決定した遊技の演出を実行する。
【００４９】
演出は、上述したリール演出のような主制御基板２００によって実行される演出と、副制御基板２０２によって実行される演出がある。副制御基板２０２によって実行される演出は、遊技の進行に伴い、液晶表示部１３８、スピーカ１４０、演出用ランプ１４２、リールバックライト１４４、リール上方ライト１４６、サブクレジット表示部１５６、サブ払出表示部１５８等を通じて提供される視覚的および聴覚的な表現手段であり、当該遊技にストーリー性を与えたり、当選役抽選の結果をよりダイナミックな画像で示唆したりすることができる。このような演出では、例えば、ボーナス遊技の当選を示唆する演出を複数遊技に亘って行い、遊技者の期待感を高めることができる。また、たとえ、いずれの当選役にも当選していなかったとしても、恰も当選しているかのような演出を通じて遊技者に高配当の期待感を持たせ、遊技者を飽きさせないようにすることが可能となる。上記の主制御基板２００および副制御基板２０２を連動させることで、様々な遊技性を構築することができる。
【００５０】
演出役物制御手段３３６は、詳しくは後述するように、スロットマシン１００が搬送される際に、演出役物１３９ａ、１３９ｂを不図示の固定器具で固定するための運搬位置に移動制御する。
【００５１】
（主制御基板２００で用いられるテーブル）
スロットマシン１００においては、複数の遊技状態が設けられており、遊技の進行に応じて遊技状態が遷移する。そして、主制御基板２００では、状態移行手段３１２により管理される遊技状態に対応する複数の当選役抽選テーブル等がメインＲＯＭ２００ｂに格納されている。当選役抽選手段３０４は、メインＲＡＭ２００ｃに記憶された現在の遊技状態（後述するボーナス役の成立有無に基づく遊技状態等）に応じて、対応する当選役抽選テーブルをメインＲＯＭ２００ｂから抽出し、抽出した当選役抽選テーブルと現在の設定値に基づき、スタートスイッチ１２８の操作信号に応じて取得された当選役抽選乱数が当選役抽選テーブル内のいずれの当選役または不当選に対応するか判定する。ここで、設定値は、遊技利益を得る容易性を段階的に示したものであり、その設定値の数値が高いほど、遊技利益を得易い。なお、設定値は、一般的に、ホール側管理者により少なくとも遊技開始時には決定されており、遊技者が、遊技中に設定値を取得および変更することはできないようになっている。
【００５２】
ここで、当選役抽選テーブルで抽出される当選役には、リプレイ役、小役、ボーナス役がある。このような当選役に対応する図柄組み合わせが、有効ラインＡ上に揃った状態を表示または入賞といい、当選役に当選し、その当選役に対応する図柄組み合わせが表示されるまでの状態を内部当選状態とする。当選役のうちのリプレイ役は、そのリプレイ役に対応する図柄組み合わせが有効ラインＡ上に表示されると、遊技者によるメダルの新たなるベットを行わずして再度１遊技を実行できる役であり、小役は、その小役に対応する図柄組み合わせが有効ラインＡ上に表示されることにより、図柄組み合わせに応じて所定枚数のメダルの払い出しを受けることができる役である。また、ボーナス役は、そのボーナス役に対応する図柄組み合わせが有効ラインＡ上に表示されることにより、状態移行手段３１２により管理される遊技状態をボーナス遊技状態に移行させることができる当選役である。以下に、当選役および遊技者に付与される遊技利益について説明する。
【００５３】
図５は、当選役を説明するための説明図であり、図６は、遊技状態の遷移を説明するための説明図である。
【００５４】
また、本実施形態においては、当選役として、図５に示すように、当選役「リプレイ」、「ベル」、「チェリー」、「スイカ」、「ビッグボーナス（以下「ＢＢ」という）」が設けられている。このうち、当選役「リプレイ」が上記リプレイ役に相当し、当選役「ベル」、「チェリー」、「スイカ」が上記小役に相当し、当選役「ＢＢ」が上記ボーナス役に相当する。
【００５５】
（リプレイ役）
当選役抽選の結果、当選役「リプレイ」に当選すると、図５に示した当選役「リプレイ」に対応する図柄組み合わせである、各回転リール１３４ａ、１３４ｂ、１３４ｃそれぞれに記される図柄「リプレイ」が有効ラインＡ上に表示可能となり、当選役「リプレイ」に対応する図柄組み合わせが有効ラインＡ上に表示されると、上記したように、遊技者によるベットを行わずして再度１遊技を実行できる。
【００５６】
ここで、本実施形態においては、遊技者によってストップスイッチ１３０が押圧操作されたときに、当選役に対応する図柄組み合わせを構成する図柄が有効ラインＡ上にある場合には、リール制御手段３０６によって、当該図柄が有効ラインＡ上に停止するように停止制御がなされる。また、ストップスイッチ１３０が押圧操作されたときに、当選役に対応する図柄組み合わせを構成する図柄が、有効ラインＡ上にはないが、各回転リール１３４ａ、１３４ｂ、１３４ｃの回転方向と反対の方向の図柄４コマ分に相当する範囲（引込範囲）内に存在している場合には、リール制御手段３０６によって、離れている図柄数が滑りコマ数となり、当該当選役に対応する図柄組み合わせを構成する図柄を有効ラインＡ上に引き込むように滑りコマ数分回転を維持した後に停止するように停止制御がなされる。また、当選役に対応する図柄が各回転リール１３４ａ、１３４ｂ、１３４ｃ中に複数あり、いずれも各回転リール１３４ａ、１３４ｂ、１３４ｃの引込範囲内に存在している場合には、予め定められた優先順位に従っていずれの図柄を有効ラインＡ上に引き込むか決定され、当該優先された図柄を有効ラインＡ上に引き込むように滑りコマ数分回転を維持した後に停止するように停止制御がなされる。なお、ストップスイッチ１３０が押圧操作されたときに、当選した当選役以外の当選役に対応する図柄組み合わせを構成する図柄が有効ラインＡ上にある場合には、リール制御手段３０６によって、その図柄を有効ラインＡ上に停止させないようにする、所謂蹴飛ばし処理も並行して実行される。
【００５７】
そして、各回転リール１３４ａ、１３４ｂ、１３４ｃにおいては、当選役「リプレイ」に対応する図柄組み合わせを構成する図柄が、上記の停止制御によって、必ず有効ラインＡ上に表示可能なように配列されている（図３および図５参照）。具体的に、当選役「リプレイ」に対応する図柄組み合わせを構成する図柄同士は、各回転リール１３４ａ、１３４ｂ、１３４ｃ内で最大図柄４コマ分しか離隔していないので、停止制御によって必ず有効ラインＡ上に表示することができる。このように、当選役「リプレイ」に当選すると、これら当選役「リプレイ」に対応する図柄組み合わせが、必ず、有効ラインＡ上に表示されることとなる。このようにして、当選役「リプレイ」に対応する図柄組み合わせが有効ラインＡ上に表示された場合には、メダルを投入することなく次の１遊技を開始することが可能となる。
【００５８】
（小役）
また、当選役抽選の結果、当選役「ベル」に当選した場合には、当選役「ベル」に対応する図柄組み合わせである、各回転リール１３４ａ、１３４ｂ、１３４ｃそれぞれに記される図柄「ベル」が有効ラインＡ上に表示可能となり、当選役「ベル」に対応する図柄組み合わせが有効ラインＡ上に表示された場合には、当選役に対応した枚数（ここでは９枚）のメダルが遊技者に払い出される。ここで、当選役「ベル」に対応する図柄組み合わせを構成する図柄「ベル」同士は、各回転リール１３４ａ、１３４ｂ、１３４ｃ内で最大図柄４つ分しか離隔していないので（図３および図５参照）、当選役「リプレイ」同様、上記の停止制御によって、必ず有効ラインＡ上に表示することができる。
【００５９】
また、当選役抽選の結果、当選役「チェリー」に当選すると、当選役「チェリー」に対応する図柄組み合わせである、回転リール１３４ａに記される図柄「チェリー」が有効ラインＡ上に表示可能となり、当選役「チェリー」に対応する図柄組み合わせが有効ラインＡ上に表示された場合には、当選役に対応した枚数（ここでは３枚）のメダルが遊技者に払い出される。なお、当選役「チェリー」に示される「ＡＮＹ」は、対応する有効ラインＡ上にいずれの図柄が停止してもよいことを示す。ただし、回転リール１３４ａにおいては、当選役「チェリー」に対応する図柄組み合わせを構成する図柄「チェリー」が、上記の停止制御によっても、有効ラインＡ上に表示されない場合があるように配列されている（図３および図５参照）。そのため、当選役「チェリー」に当選したとしても、所謂取りこぼしが生じることがあり、遊技者は、当選役「チェリー」に対応する図柄組み合わせを必ずしも有効ラインＡ上に表示させられるとは限らない。
【００６０】
また、当選役抽選の結果、当選役「スイカ」に当選すると、当選役「スイカ」に対応する図柄組み合わせである、各回転リール１３４ａ、１３４ｂ、１３４ｃそれぞれに記される図柄「スイカ」が有効ラインＡ上に表示可能となり、当選役「スイカ」に対応する図柄組み合わせが有効ラインＡ上に表示された場合には、当選役に対応した枚数（ここでは１５枚）のメダルが遊技者に払い出される。ただし、各回転リール１３４ａ、１３４ｂ、１３４ｃにおいては、当選役「スイカ」に対応する図柄組み合わせを構成する図柄「スイカ」が、上記の停止制御によっても、有効ラインＡ上に表示されない場合があるように配列されている（図３および図５参照）。そのため、当選役「スイカ」に当選したとしても、所謂取りこぼしが生じることがあり、遊技者は、当選役「スイカ」に対応する図柄組み合わせを必ずしも有効ラインＡ上に表示させられるとは限らない。
【００６１】
（ボーナス役）
また、当選役抽選の結果、当選役「ＢＢ」に当選すると、図５に示した当選役「ＢＢ」に対応する図柄組み合わせである、各回転リール１３４ａ、１３４ｂ、１３４ｃそれぞれに記される図柄「赤７」が有効ラインＡ上に表示可能となり、当選役「ＢＢ」に対応する図柄組み合わせが有効ラインＡ上に表示されると、遊技状態がボーナス遊技状態に設定され、次の１遊技（以下、単に次遊技という）以降、メダルが所定枚数（例えば、２９７枚）払い出されるまで、ボーナス遊技状態にて遊技を実行することが可能となる。なお、各回転リール１３４ａ、１３４ｂ、１３４ｃにおいては、それぞれ図柄「赤７」が、上記の停止制御によっても、有効ラインＡ上に表示されない場合があるように配列されている（図３および図５参照）。そのため、当選役「ＢＢ」に当選したとしても、遊技者は、当選役「ＢＢ」に対応する図柄組み合わせを必ずしも有効ラインＡ上に表示させられるとは限らない。
【００６２】
なお、上述したいずれかの当選役に当選すると、それぞれの当選役に対応する内部当選フラグが成立（ＯＮ）するとともに、この内部当選フラグの成立状況に応じて、回転リール１３４ａ、１３４ｂ、１３４ｃそれぞれの停止制御がなされることとなる。このとき、小役に当選したものの、その小役に対応する図柄組み合わせを、その１遊技内で有効ラインＡ上に表示させることができなかった場合には、当該１遊技の終了後に内部当選フラグがＯＦＦされる。つまり、小役の当選の権利は小役に当選した１遊技内のみに限られ、当該権利を次遊技に持ち越すことはできない。また、リプレイ役である当選役「リプレイ」に対応する内部当選フラグが成立した場合には、当選役「リプレイ」に対応する図柄組み合わせが必ず有効ラインＡ上に表示され、メダルを要することなく次遊技を行うために必要となる処理が行われた後に、当該内部当選フラグがＯＦＦされる。これらに対して、当選役「ＢＢ」に当選した場合には、ＢＢ内部当選フラグが成立（ＯＮ）するとともに、当選役「ＢＢ」に対応する図柄組み合わせが有効ラインＡ上に表示されるまで、ＢＢ内部当選フラグが遊技を跨いで持ち越される。
【００６３】
（遊技状態の遷移）
ここで、ＢＢ内部当選フラグについて、遊技状態の遷移と合わせて具体的に説明する。ＢＢ内部当選フラグが成立すると、ＢＢ内部当選フラグの成立状況に応じて、図６の（１）に示すように、主制御基板２００で管理している遊技状態が、ボーナス役である当選役「ＢＢ」に当選していないボーナス非成立遊技状態から、ボーナス遊技状態の準備状態に相当するボーナス成立遊技状態となり、ボーナス成立遊技状態に基づいて回転リール１３４ａ、１３４ｂ、１３４ｃそれぞれの停止制御がなされる。このとき、当選役「ＢＢ」に対応する図柄組み合わせを有効ラインＡ上に表示させることができなかった場合には、そのままＢＢ内部当選フラグが次遊技に持ち越され（ボーナス成立遊技状態が維持され）、次回以降の遊技においても当選役「ＢＢ」に対応する図柄組み合わせを有効ラインＡ上に表示させることが可能となる。そして、遊技者が、当選役「ＢＢ」に対応する図柄組み合わせを有効ラインＡ上に表示させると、図６の（２）に示すように、遊技状態がボーナス成立遊技状態からボーナス遊技状態に移行する。また、ボーナス遊技状態において、所定枚数（例えば、２９７枚）を超えるメダルが払い出されると、図６の（３）に示すように、遊技状態が、ボーナス遊技状態からボーナス非成立遊技状態に移行する。ただし、図６の（４）に破線の矢印で示すように、ボーナス非成立遊技状態における当選役「ＢＢ」が成立した遊技で、当選役「ＢＢ」に対応する図柄組み合わせを有効ラインＡ上に表示させた場合、ボーナス成立遊技状態を経由せず、直接、ボーナス遊技状態に移行する。
【００６４】
（当選役抽選テーブル）
図７は、当選役抽選乱数を判定する場合に用いられる当選役抽選テーブルを示す図である。当選役抽選テーブルでは、複数の当選領域が区画されており、各遊技状態によって抽選の対象となる当選役が異なったりする。図７は、各遊技状態（ボーナス非成立遊技状態、ボーナス成立遊技状態、ボーナス遊技状態）毎に割り当てられた当選領域（当選役）を「○」で表している。したがって、「○」が記載されていない当選領域は、その遊技状態に割り当てられていないことを示す。区画化された各当選領域にはそれぞれ当選範囲を示す数値である所定の置数（当選範囲値）と当選役が対応付けられており、遊技状態毎に割り当てられた全ての当選領域の置数を合計すると当選役抽選乱数の総数（６５５３６）となる。したがって、当選役それぞれが決定される確率は、当選領域に対応付けられた置数を当選役抽選乱数の総数で除算した値となる。当選役抽選手段３０４は、その時点の遊技状態に基づいて、当該当選役抽選テーブルにおける複数の当選領域のうち番号の高い方から、順次、置数を取得し、その置数を当選役抽選乱数から減算して、その減算値が０未満となると、その時点の当選領域に対応付けられた当選役を抽選結果としている。当該抽選の手順は、他の抽選においても適用できる。
【００６５】
また、各遊技状態によって抽選の対象となる当選役が異なっている。例えば、図７において、ボーナス非成立遊技状態と、ボーナス成立遊技状態とを比較すると、前者は当選役「ＢＢ」の抽選を行っているのに対し、後者では当選役「ＢＢ」の抽選を行っていない。これは、後者では、既に当選役「ＢＢ」に当選しているので重ねて当選役「ＢＢ」を当選させることができないからである。また、後者では、前者に比べ、当選役「リプレイ」の当選確率を高く設定している。また、図７のボーナス遊技状態によれば、重ねて当選役「ＢＢ」の抽選を行わないとともに、当選役「リプレイ」や当選役「スイカ」の抽選も行われない。また、当選役「ベル」が高確率で当選するように設定されているので、ボーナス非成立遊技状態やボーナス成立遊技状態と比べて、１遊技で獲得できる枚数の平均値を示す期待獲得枚数が高くなっている。なお、当選役抽選テーブルの当選領域０には、「不当選」が対応付けられており、当選役抽選によって「不当選」が決定すると、図５に示したいずれの当選役に対応する図柄組み合わせも有効ラインＡ上に表示されることなく、メダルの払い出し等が行われることはない。
【００６６】
（演出役物装置１３９）
図８は、演出役物１３９ａ、１３９ｂの移動について説明する図である。図８（ａ）に示すように、演出役物１３９ａ、１３９ｂは、通常、液晶表示部１３８の左側であって、前面上扉１０４の上枠部１０４ａ内に退避した原点位置に、２つが重なるようにして保持されている。
【００６７】
そして、当選役抽選により当選役「スイカ」、「チェリー」、「ＢＢ」に当選した際に、演出制御手段３３４は、所定の確率で、演出役物１３９ａ、１３９ｂを原点位置から、図８（ｂ）に示すように、液晶表示部１３８の前面である移動位置に移動させる。このとき、演出役物１３９ａが液晶表示部１３８の左半分を覆い、演出役物１３９ｂが液晶表示部１３８の右半分を覆うことで、演出役物１３９ａ、１３９ｂによって液晶表示部１３８の全面が覆われることになる。
【００６８】
その後、所定のタイミング（例えば、ストップスイッチ１３０ａ、１３０ｂ、１３０ｃが全て操作されたとき）に、演出制御手段３３４は、演出役物１３９ａ、１３９ｂを移動位置から原点位置に移動させる。
【００６９】
このように、スロットマシン１００では、当選役抽選の結果に応じて、演出役物１３９ａ、１３９ｂを原点位置から移動位置に移動させることで、液晶表示部１３８に表示される画像のみよりも演出効果を向上させ、ボーナスに当選しているかもしれないといった期待感を遊技者に付与する。
【００７０】
ところで、スロットマシン１００は、トラック等の車両によってホールに搬送されることになる。このとき、振動等によってスロットマシン１００、特に演出役物１３９ａ、１３９ｂに外力が加わると、演出役物１３９ａ、１３９ｂが移動して破損するおそれがある。
【００７１】
そこで、スロットマシン１００を搬送する際に、図８（ｃ）に示すように、液晶表示部１３８の左側であって、前面上扉１０４の上枠部１０４ａ内に退避した搬送位置に演出役物１３９ａを移動させるとともに、液晶表示部１３８の右側であって、前面上扉１０４の上枠部１０４ａ内に退避した搬送位置に演出役物１３９ｂを移動させる。
【００７２】
そして、管理者によって電源スイッチ１４８が操作され、スロットマシン１００の電源が遮断され、演出役物１３９ａ、１３９ｂが搬送位置に保持されていれば、不図示の固定器具によって前面上扉１０４の上枠部１０４ａに演出役物１３９ａ、１３９ｂが固定される。これにより、搬送時の振動等による演出役物１３９ａ、１３９ｂの移動が固定器具によって制限され、演出役物１３９ａ、１３９ｂが破損してしまうことを防止する。
【００７３】
したがって、スロットマシン１００では、搬送時に、演出役物１３９ａ、１３９ｂを搬送位置に移動および維持させる必要がある。しかしながら、上記したように、演出役物１３９ａ、１３９ｂは、演出の進行に応じて移動するため、電源が遮断された際に、演出役物１３９ａ、１３９ｂが搬送位置に維持されているとは限らない。演出役物１３９ａ、１３９ｂが搬送位置に維持されていない場合には、管理者は、演出役物１３９ａ、１３９ｂを搬送位置に移動させなければならず、煩わしい作業を強いられることになる。そこで、第１の実施形態のスロットマシン１００では、以下のように、演出役物１３９ａ、１３９ｂを搬送位置に移動、維持させる。
【００７４】
図９は、電源投入時の演出役物１３９ａ、１３９ｂの移動について説明する図である。第１の実施形態のスロットマシン１００では、鍵穴１１０ａに鍵を挿入して解錠操作することにより、前面上扉１０４および前面下扉１０６が筐体１０２に対して開放された後、電源スイッチ１４８が操作され、スロットマシン１００の電源が投入されると、主制御基板２００は、初期化処理を実行し、そのときに、コマンド決定手段３１４が、初期化処理が行われたことを示す初期化コマンドを生成し、コマンド送信手段３１６が、生成された初期化コマンドを副制御基板２０２に送信する。
【００７５】
副制御基板２０２では、コマンド受信手段３３２が初期化コマンドを受信すると、演出役物制御手段３３６が、図９（ａ）に示すように、演出役物１３９ａ、１３９ｂを搬送位置に移動させた後、図９（ｂ）に示すように、所定期間（例えば、３０秒）、演出役物１３９ａ、１３９ｂを搬送位置に維持させる。その後、演出役物制御手段３３６は、図９（ｃ）に示すように、演出役物１３９ａ、１３９ｂを原点位置に移動させる。なお、所定期間としては、３０秒等の所定時間でもよく、また、演出役物１３９ａ、１３９ｂを搬送位置に移動させた後、電源スイッチ１４８を除く他のスイッチ（例えば、演出スイッチ１３２、ベットスイッチ１２６）が操作されるまでの期間等であってもよい。
【００７６】
そして、管理者は、スロットマシン１００の搬送時に、電源スイッチ１４８を操作し、スロットマシン１００の電源を投入した後、演出役物１３９ａ、１３９ｂが搬送位置に維持されている所定期間中に、再び電源スイッチ１４８を操作し、スロットマシン１００の電源を遮断する。そうすると、演出役物１３９ａ、１３９ｂが搬送位置に維持されているので、演出役物１３９ａ、１３９ｂを移動させることなく固定器具で固定することができる。
【００７７】
このように、第１の実施形態のスロットマシン１００は、電源を投入するといった管理者の操作に起因して、演出役物１３９ａ、１３９ｂを搬送位置に移動させた後、所定期間、演出役物１３９ａ、１３９ｂを搬送位置に維持するので、電源を投入するといった簡易な操作によって、管理者に煩わしい作業を強いることなく、演出役物１３９ａ、１３９ｂを搬送位置に移動させることができる。
【００７８】
以下、主制御基板２００における具体的処理をフローチャートに基づいて説明する。
【００７９】
（主制御基板２００のメイン処理）
図１０は、主制御基板２００のメイン処理を示したフローチャートである。ここでは、まず、主制御基板２００のメイン処理に沿って、初期化後の１遊技の概略を説明し、その後、各処理の詳細について説明する。また、ここでは、本実施形態の特徴に関係する処理について詳細に説明し、本実施形態の特徴と無関係の構成については説明を省略する。また、詳細な説明は省略するが、各処理が遂行される際、各処理において用いられるスイッチ（ベットスイッチ１２６、スタートスイッチ１２８、ストップスイッチ１３０ａ、１３０ｂ、１３０ｃ）は、処理の開始時に有効化され、処理の終了時に無効化される。
【００８０】
（ステップＳ１００）
電源スイッチ１４８を介してスロットマシン１００の電源が投入され、通電状態になると、初期化手段３００は、遊技開始に備え初期化処理を実行する。初期化手段３００は、電源が投入されている間、随時バックアップデータを生成し、そのバックアップデータをメインＲＡＭ２００ｃに保持している。したがって、不意の電断が生じたとしても、この初期化処理において、保持されたバックアップデータを用い電断前の状態に復帰させることができる。例えば、回転リール１３４ａ、１３４ｂ、１３４ｃの回転中に不意の電断が起きたとしても、復帰動作後に再度各回転リール１３４ａ、１３４ｂ、１３４ｃが回転している状態から開始される。したがって、初期化処理では、基本的に、メインＲＡＭ２００ｃのＲＡＭクリアは行われない。また、コマンド決定手段３１４は、初期化処理が行われたことを示す初期化コマンドを生成し、コマンド送信手段３１６は、生成された初期化コマンドを副制御基板２０２に送信する。
【００８１】
（ステップＳ２００）
続いて、遊技者によるベットスイッチ１２６の操作、または、メダル投入部１２４へのメダルの投入を通じ、ベット手段３０２がメダルをベットする。また、コマンド決定手段３１４は、その操作がなされたことを示す投入コマンドを生成し、コマンド送信手段３１６は、生成された投入コマンドを副制御基板２０２に送信する。
【００８２】
（ステップＳ３００）
次に、当選役抽選手段３０４は、スタートスイッチ１２８に対する遊技開始操作を有効化し、スタートスイッチ１２８の操作待ち状態に移行する。ここで、当選役抽選手段３０４は、遊技者によるスタートスイッチ１２８の操作に応じて、主制御基板２００の乱数発生器２００ｄによって更新された当選役抽選乱数から、スタートスイッチ１２８が操作された時点における１の当選役抽選乱数を取得する。そして、当選役抽選手段３０４は、図７に示した複数の当選役抽選テーブルから、現在設定されている遊技状態に応じて、取得した当選役抽選乱数が、決定した当選役抽選テーブルにおけるいずれの当選領域に対応するか判定し、判定された当選領域の当選役または不当選を抽選結果として決定する。また、コマンド決定手段３１４は、スタートスイッチ１２８の操作に応じて抽選結果が決定された後、当選役抽選の抽選結果（当選役または不当選）や遊技状態に関する情報等を含む当選役コマンドを生成し、コマンド送信手段３１６は、生成された当選役コマンドを副制御基板２０２に送信する。また、状態移行手段３１２は、ボーナス非成立遊技状態において当選役「ＢＢ」に当選したことに基づき遊技状態をボーナス非成立遊技状態からボーナス成立遊技状態へ移行させる。
【００８３】
（ステップＳ４００）
スタートスイッチ１２８が操作されると、リール制御手段３０６は、ステッピングモータ２６２を駆動して回転リール１３４ａ、１３４ｂ、１３４ｃを回転させる。このリール回転処理においては、前回の１遊技における回転リール１３４ａ、１３４ｂ、１３４ｃの回転開始時点から所定の時間（例えば４．１秒）が経過すると（ウェイト）、当該遊技における回転リール１３４ａ、１３４ｂ、１３４ｃの回転を開始し、回転リール１３４ａ、１３４ｂ、１３４ｃの全てが定速回転となったところで、ステップＳ５００に処理を移す。また、リール制御手段３０６は、リール演出を実行する場合もある。
【００８４】
（ステップＳ５００）
続いて、リール制御手段３０６は、ストップスイッチ１３０ａ、１３０ｂ、１３０ｃを有効化し、遊技者によるストップスイッチ１３０ａ、１３０ｂ、１３０ｃの操作を受け付けると、その操作に対応する回転リール１３４ａ、１３４ｂ、１３４ｃのいずれかを停止制御する。また、コマンド決定手段３１４は、ストップスイッチ１３０ａ、１３０ｂ、１３０ｃのいずれかの操作がなされると、操作がなされたストップスイッチ１３０ａ、１３０ｂ、１３０ｃの情報を示す停止コマンド（第１停止コマンド、第２停止コマンド、第３停止コマンド）を操作の度に生成し、コマンド送信手段３１６は、生成された停止コマンドを順次、副制御基板２０２に送信する。
【００８５】
（ステップＳ６００）
次に、判定手段３０８は、図３（ｂ）に示した有効ラインＡ上に表示された図柄組み合わせが予め定められたどの組み合わせに相当するかを判定し、その図柄組み合わせに応じて遊技状態の変更やリプレイに際して要求される種々の処理を実行する。また、コマンド決定手段３１４は、有効ラインＡ上に表示された図柄組み合わせや、有効ラインＡ上に小役に対応する図柄組み合わせが表示された場合におけるメダルの払出枚数等を含む入賞コマンドを生成し、コマンド送信手段３１６は、生成された入賞コマンドを副制御基板２０２に送信する。また、状態移行手段３１２は、ボーナス成立遊技状態において当選役「ＢＢ」に対応する図柄組み合わせが有効ラインＡ上に表示されたことに基づき、遊技状態をボーナス成立遊技状態からボーナス遊技状態へ移行させる。
【００８６】
（ステップＳ７００）
続いて、払出制御手段３１０は、ステップＳ６００における判定結果に基づき、例えば、有効ラインＡ上に小役に対応する図柄組み合わせが表示されると、当該小役に対応するメダルの払出処理を実行し、有効ラインＡ上にリプレイ役に対応する図柄組み合わせが表示されると、自動的に次遊技のベットを行うための処理を実行する。また、状態移行手段３１２は、ボーナス遊技状態においてメダルの所定枚数の払い出しが実行されると、遊技状態をボーナス遊技状態からボーナス非成立遊技状態へ移行させる。このように、払出制御手段３１０は、有効ラインＡ上に表示された図柄組み合わせに対応して種々の処理を遂行し、当該１遊技を終了する。また、コマンド決定手段３１４は、メダルの払出処理がなされた場合、払出処理がなされたことを示す払出コマンドを生成し、コマンド送信手段３１６は、生成された払出コマンドを副制御基板２０２に送信する。
【００８７】
ステップＳ２００からステップＳ７００までの一連の処理を通じて１遊技が実行される。以後は、ステップＳ２００からステップＳ７００までを繰り返すこととなる。
【００８８】
（副制御基板２０２のサブ処理）
図１１は、副制御基板２０２のサブ処理を示したフローチャートである。ここでは本実施形態の特徴に関係する処理について詳細に説明し、本実施形態の特徴と無関係の構成については説明を省略する。
【００８９】
（ステップＳ１１００）
電源スイッチ１４８を介してスロットマシン１００の電源が投入され、通電状態になると、初期化決定手段３３０は、遊技開始に備え初期化処理を実行する。初期化決定手段３３０は、電源が投入されている間、随時バックアップデータを生成し、そのバックアップデータをサブＲＡＭ２０２ｃに保持している。
【００９０】
（ステップＳ１２００）
コマンド受信手段３３２は、主制御基板２００からのコマンドが受信されているか否か判定する。その結果、コマンドが受信されていれば、ステップＳ１３００に処理を移し、コマンドが受信されていなければ、ステップＳ１４００に処理を移す。
【００９１】
（ステップＳ１３００）
上記ステップＳ１２００においてコマンドが受信されていると判定されれば、コマンド受信手段３３２は、当該受信されたコマンドに基づいて種々の処理を実行する。
【００９２】
（ステップＳ１４００）
演出制御手段３３４は、実行が決定された各種演出の実行情報（タイムテーブル）を参照して、当該タイムテーブルに記憶された該当時間に対応する処理を実行する演出実行処理を行い、ステップＳ１２００からの処理を繰り返す。ここで、タイムテーブルは、どの操作契機において何の演出を実行するかを複数の操作契機毎に対応付けたテーブルである。この処理では、液晶表示部１３８の表示画像を挿入したり切り換えたりし、また、各種のコマンドを各デバイスに送信する。これにより各種演出が実行されることとなる。
【００９３】
（コマンド受信処理Ｓ１３００）
図１２は、上記ステップＳ１３００のコマンド受信処理を示したフローチャートである。ここでは本実施形態の特徴に関係する処理について詳細に説明し、本実施形態の特徴と無関係の構成については説明を省略する。
【００９４】
（ステップＳ１３０１）
まず、コマンド受信手段３３２は、受信したコマンドが初期化コマンドであるか否か判定する。その結果、受信したコマンドが初期化コマンドであれば、ステップＳ１３０２に処理を移し、受信したコマンドが初期化コマンドでなければ、当該コマンド受信処理Ｓ１３００を終了する。
【００９５】
（ステップＳ１３０２）
上記ステップＳ１３０１において受信したコマンドが初期化コマンドであると判定されれば、演出役物制御手段３３６は、演出役物１３９ａ、１３９ｂを、搬送位置に移動させる。
【００９６】
（ステップＳ１３０３）
演出役物制御手段３３６は、演出役物１３９ａ、１３９ｂを搬送位置に移動させた後、予め設定された所定期間が経過したか否か判定する。その結果、所定期間が経過していればステップＳ１３０４に処理を移し、所定期間が経過していなければステップＳ１３０３の処理を繰り返す。
【００９７】
（ステップＳ１３０４）
上記ステップＳ１３０３において所定期間が経過していると判定されれば、演出役物制御手段３３６は、演出役物１３９ａ、１３９ｂを原点位置に移動させ、当該コマンド受信処理Ｓ１３００を終了する。なお、管理者は、ステップＳ１３０３において所定期間が経過するまでに、電源スイッチ１４８を操作し、スロットマシン１００の電源を遮断すると、演出役物１３９ａ、１３９ｂを搬送位置に維持させることができる。
【００９８】
<第２の実施形態>
第２の実施形態のスロットマシン１００は、第１の実施形態と同一の構成であるため、その説明は省略する。
【００９９】
図１３は、管理者メニュー４００を説明するための図である。鍵穴１１０ａに鍵を挿入して解錠操作することにより、前面上扉１０４および前面下扉１０６が筐体１０２に対して開放された後、副制御基板２０２に設けられた管理者メニュースイッチ２０２ｅが操作されると、演出制御手段３３４は、図１３（ａ）に示す管理者が操作可能な管理者メニュー４００を液晶表示部１３８に表示する。管理者メニュー４００には、スロットマシン１００で発生したエラーの種別を表示するためのエラー種別表示アイコン４０２、スロットマシン１００で発生したエラーの時間を表示するためのエラー時間表示アイコン４０４、演出役物１３９ａ、１３９ｂを搬送位置に移動させるための搬送時設定アイコン４０６が表示されている。なお、管理者メニュー４００では、エラー種別表示アイコン４０２、エラー時間表示アイコン４０４または搬送時設定アイコン４０６のいずれかが、仮選択されていることを示すように強調表示されている。
【０１００】
そして、演出制御手段３３４は、演出スイッチ１３２の操作に応じて、エラー種別表示アイコン４０２が選択されると、スロットマシン１００で発生したエラーの種別を液晶表示部１３８に表示する。また、演出制御手段３３４は、演出スイッチ１３２の操作に応じて、エラー時間表示アイコン４０４が選択されると、スロットマシン１００で発生したエラーの時間を液晶表示部１３８に表示する。
【０１０１】
また、演出役物制御手段３３６は、図１３（ｂ）に示すように、演出スイッチ１３２の操作に応じて、搬送時設定アイコン４０６が選択されると、演出役物１３９ａ、１３９ｂを搬送位置まで移動させるとともに、演出役物１３９ａ、１３９ｂを搬送位置に維持させる。
【０１０２】
この状態で、管理者が電源スイッチ１４８を操作し、スロットマシン１００の電源を遮断すると、演出役物１３９ａ、１３９ｂが搬送位置に維持されることになるので、管理者は、演出役物１３９ａ、１３９ｂを移動させることなく固定器具で固定することができる。
【０１０３】
このように、第２の実施形態のスロットマシン１００は、管理者メニュー４００から搬送時設定アイコン４０６を選択するといった管理者の操作（管理者メニュー４００に対する所定の操作）に起因して、演出役物１３９ａ、１３９ｂを搬送位置に移動させた後、演出役物１３９ａ、１３９ｂを搬送位置に維持するので、管理者メニュー４００から搬送時設定アイコン４０６を選択するといった簡易な操作によって、管理者に煩わしい作業を強いることなく、演出役物１３９ａ、１３９ｂを搬送位置に移動させることができる。
【０１０４】
なお、スロットマシン１００では、管理者メニュースイッチ２０２ｅが操作されると、管理者メニュー４００を表示せずに、演出役物１３９ａ、１３９ｂを搬送位置に移動、維持させるようにしてもよい。
【０１０５】
図１４は、管理者メニュースイッチ２０２ｅが操作された際の管理者メニュー処理を示したフローチャートである。ここでは本実施形態の特徴に関係する処理について詳細に説明し、本実施形態の特徴と無関係の構成については説明を省略する。なお、管理者メニュー処理は、管理者メニュースイッチ２０２ｅが操作された際に、図１１に示したサブ処理に対する割込み処理として実行される。
【０１０６】
（ステップＳ２００１）
まず、演出制御手段３３４は、管理者メニュー４００を液晶表示部１３８に表示する。
【０１０７】
（ステップＳ２００２）
演出制御手段３３４は、演出スイッチ１３２の操作に応じて、エラー種別表示アイコン４０２が選択されたか否か判定する。その結果、エラー種別表示アイコン４０２が選択されていれば、ステップＳ２００３に処理を移し、エラー種別表示アイコン４０２が選択されていなければ、ステップＳ２００４に処理を移す。
【０１０８】
（ステップＳ２００３）
上記ステップＳ２００２においてエラー種別表示アイコン４０２が選択されていると判定されれば、演出制御手段３３４は、スロットマシン１００で発生したエラーの種別を液晶表示部１３８に表示し、当該管理者メニュー処理Ｓ２０００を終了する。
【０１０９】
（ステップＳ２００４）
上記ステップＳ２００２においてエラー種別表示アイコン４０２が選択されていないと判定されれば、演出制御手段３３４は、演出スイッチ１３２の操作に応じて、エラー時間表示アイコン４０４が選択されたか否か判定する。その結果、エラー時間表示アイコン４０４が選択されていれば、ステップＳ２００５に処理を移し、エラー時間表示アイコン４０４が選択されていなければ、ステップＳ２００６に処理を移す。
【０１１０】
（ステップＳ２００５）
上記ステップＳ２００４においてエラー時間表示アイコン４０４が選択されていると判定されれば、演出制御手段３３４は、スロットマシン１００で発生したエラーの時間を液晶表示部１３８に表示し、当該管理者メニュー処理Ｓ２０００を終了する。
【０１１１】
（ステップＳ２００６）
上記ステップＳ２００４においてエラー時間表示アイコン４０４が選択されていないと判定されれば、演出制御手段３３４は、演出スイッチ１３２の操作に応じて、搬送時設定アイコン４０６が選択されたか否か判定する。その結果、搬送時設定アイコン４０６が選択されていれば、ステップＳ２００７に処理を移し、搬送時設定アイコン４０６が選択されていなければ、ステップＳ２００２に処理を戻す。なお、管理者メニュー処理Ｓ２０００は、電源の遮断時、または、前面上扉１０４および前面下扉１０６が筐体１０２に対して閉鎖された時に終了する。
【０１１２】
（ステップＳ２００７）
上記ステップＳ２００６において搬送時設定アイコン４０６が選択されたと判定されれば、演出役物制御手段３３６は、演出役物１３９ａ、１３９ｂを搬送位置まで移動させるとともに、演出役物１３９ａ、１３９ｂを搬送位置に維持させる。なお、管理者は、演出役物１３９ａ、１３９ｂが搬送位置に維持されている間に、電源スイッチ１４８を操作し、スロットマシン１００の電源を遮断することで、演出役物１３９ａ、１３９ｂを搬送位置に維持させることができる。
【０１１３】
<第３の実施形態>
第３の実施形態のスロットマシン１００は、第１の実施形態と同一の構成であるため、その説明は省略する。
【０１１４】
図１５は、前面上扉１０４および前面下扉１０６が筐体１０２に対して開放された際の演出役物１３９ａ、１３９ｂの移動を説明するための図である。スロットマシン１００では、鍵穴１１０ａに鍵を挿入して解錠操作することにより、前面上扉１０４および前面下扉１０６が筐体１０２に対して開放されると、主制御基板２００の扉開閉検出手段３１８が、扉開閉スイッチ２６６の検出信号に基づいて、前面上扉１０４および前面下扉１０６が筐体１０２に対して開放されたことを検出する。このとき、コマンド決定手段３１４は、前面上扉１０４および前面下扉１０６が筐体１０２に対して開放されたことを示す扉開放コマンドを生成し、コマンド送信手段３１６は、生成された扉開放コマンドを副制御基板２０２に送信する。
【０１１５】
副制御基板２０２では、コマンド受信手段３３２によって扉開放コマンドを受信すると、演出制御手段３３４が、図１５（ａ）に示すように、前面上扉１０４および前面下扉１０６が開放されていることを示す画像を液晶表示部１３８に表示する。また、演出役物制御手段３３６は、図１５（ｂ）に示すように、演出役物１３９ａ、１３９ｂを搬送位置まで移動させるとともに、演出役物１３９ａ、１３９ｂを搬送位置に維持させる。
【０１１６】
また、前面上扉１０４および前面下扉１０６が筐体１０２に対して閉鎖されると、主制御基板２００の扉開閉検出手段３１８が、扉開閉スイッチ２６６の検出信号に基づいて、前面上扉１０４および前面下扉１０６が筐体１０２に対して閉鎖されたことを検出する。このとき、コマンド決定手段３１４は、前面上扉１０４および前面下扉１０６が筐体１０２に対して閉鎖されたことを示す扉閉鎖コマンドを生成し、コマンド送信手段３１６は、生成された扉閉鎖コマンドを副制御基板２０２に送信する。
【０１１７】
副制御基板２０２では、コマンド受信手段３３２によって扉閉鎖コマンドを受信すると、演出制御手段３３４が、図１５（ａ）に示した、前面上扉１０４および前面下扉１０６が開放されていることを示す画像を非表示する。また、演出役物制御手段３３６は、演出役物１３９ａ、１３９ｂを原点位置まで移動させるとともに、演出役物１３９ａ、１３９ｂを原点位置に維持させる。
【０１１８】
スロットマシン１００を搬送する際、管理者は、前面上扉１０４および前面下扉１０６が筐体１０２に対して開放させた後、演出役物１３９ａ、１３９ｂが搬送位置に維持されている間、つまり、前面上扉１０４および前面下扉１０６が筐体１０２に対して開放されている間に、電源を遮断することで、演出役物１３９ａ、１３９ｂを搬送位置で維持し、固定器具で固定することができる。
【０１１９】
このように、第３の実施形態のスロットマシン１００は、前面上扉１０４および前面下扉１０６を開放するといった管理者の操作に起因して、演出役物１３９ａ、１３９ｂを搬送位置に移動させた後、演出役物１３９ａ、１３９ｂを搬送位置に維持するので、前面上扉１０４および前面下扉１０６を開放するといった簡易な操作によって、管理者に煩わしい作業を強いることなく、演出役物１３９ａ、１３９ｂを搬送位置に移動させることができる。
【０１２０】
図１６は、前面上扉１０４および前面下扉１０６が筐体１０２に対して開閉された際の扉開閉処理を示したフローチャートである。ここでは本実施形態の特徴に関係する処理について詳細に説明し、本実施形態の特徴と無関係の構成については説明を省略する。なお、扉開閉処理は、前面上扉１０４および前面下扉１０６が筐体１０２に対して開閉された際に、図１０に示したメイン処理に対する割込み処理として実行される。
【０１２１】
（ステップＳ３００１）
まず、扉開閉検出手段３１８は、扉開閉スイッチ２６６の検出信号に基づいて、前面上扉１０４および前面下扉１０６が筐体１０２に対して開放されたか否かを判定する。その結果、前面上扉１０４および前面下扉１０６が筐体１０２に対して開放されていれば、ステップＳ３００２に処理を移し、前面上扉１０４および前面下扉１０６が筐体１０２に対して開放されていなければ、ステップＳ３００３に処理を移す。
【０１２２】
（ステップＳ３００２）
上記ステップＳ３００１において前面上扉１０４および前面下扉１０６が筐体１０２に対して開放されていると判定されれば、コマンド決定手段３１４は、前面上扉１０４および前面下扉１０６が筐体１０２に対して開放されたことを示す扉開放コマンドを生成し、コマンド送信手段３１６は、生成された扉開放コマンドを、副制御基板２０２に送信し、当該扉開閉処理を終了する。
【０１２３】
（ステップＳ３００３）
上記ステップＳ３００１において前面上扉１０４および前面下扉１０６が筐体１０２に対して開放されていない、つまり、前面上扉１０４および前面下扉１０６が筐体１０２に対して閉鎖されたと判定されれば、コマンド決定手段３１４は、前面上扉１０４および前面下扉１０６が筐体１０２に対して閉鎖されたことを示す扉閉鎖コマンドを生成し、コマンド送信手段３１６は、生成された扉閉鎖コマンドを、副制御基板２０２に送信し、当該扉開閉処理を終了する。
【０１２４】
図１７は、第３の実施形態における上記ステップＳ１３００のコマンド受信処理を示したフローチャートである。ここでは本実施形態の特徴に関係する処理について詳細に説明し、本実施形態の特徴と無関係の構成については説明を省略する。
【０１２５】
（ステップＳ３１０１）
まず、コマンド受信手段３３２は、受信したコマンドが扉開放コマンドであるか否か判定する。その結果、受信したコマンドが扉開放コマンドであれば、ステップＳ３１０２に処理を移し、受信したコマンドが扉開放コマンドでなければ、ステップＳ３１０３に処理を移す。
【０１２６】
（ステップＳ３１０２）
上記ステップＳ３１０１において受信したコマンドが扉開放コマンドであると判定されれば、演出役物制御手段３３６は、演出役物１３９ａ、１３９ｂを、搬送位置に移動させた後、搬送位置に維持させる。なお、管理者は、演出役物１３９ａ、１３９ｂが搬送位置に維持されている間に、電源スイッチ１４８を操作し、スロットマシン１００の電源を遮断すると、演出役物１３９ａ、１３９ｂを搬送位置に維持させることができる。
【０１２７】
（ステップＳ３１０３）
上記ステップＳ３１０１において受信したコマンドが扉開放コマンドでないと判定されれば、コマンド受信手段３３２は、受信したコマンドが扉閉鎖コマンドであるか否か判定する。その結果、受信したコマンドが扉閉鎖コマンドであれば、ステップＳ３１０４に処理を移し、受信したコマンドが扉閉鎖コマンドでなければ、当該コマンド受信処理Ｓ１３００を終了する。
【０１２８】
（ステップＳ３１０４）
上記ステップＳ３１０３において受信したコマンドが扉閉鎖コマンドであると判定されれば、演出役物制御手段３３６は、演出役物１３９ａ、１３９ｂを原点位置に移動させ、当該コマンド受信処理Ｓ１３００を終了する。
【０１２９】
以上、添付図面を参照しながら本発明の好適な実施形態について説明したが、本発明はかかる実施形態に限定されないことはいうまでもない。当業者であれば、特許請求の範囲に記載された範疇において、各種の変更例または修正例に想到し得ることは明らかであり、それらについても当然に本発明の技術的範囲に属するものと了解される。
【０１３０】
例えば、上述した実施形態では、主制御基板２００と副制御基板２０２とが、遊技を進行するための機能部を分担するように配したが、主制御基板２００の機能部を副制御基板２０２に配しても、副制御基板２０２の機能部を主制御基板２００に配してもよく、また、全ての機能部を１の制御基板に纏めて配することもできる。
【０１３１】
また、上述した実施形態においては、遊技利益としてボーナス遊技を挙げて説明したが、かかる場合に限らず、遊技利益が大きい選択当選役と他の当選役とが重複した選択当選種別であり、ストップスイッチ１３０ａ、１３０ｂ、１３０ｃの操作態様が、複数の操作態様のうちの所定の操作態様（正解操作態様）であること、すなわち、所定の操作順（打順）または所定の操作タイミングあるいはこれらの組み合わせであることが選択当選役の入賞条件として設定された選択当選種別が当選役抽選により決定したときに、演出制御手段３３４が、その選択当選役の入賞条件となる正解操作態様を報知する補助演出を行うことで、当該選択当選役に対応する図柄組み合わせを、遊技者が有効ラインＡ上に容易に表示させることができる、所謂、ＡＴ（アシストタイム）を実行するＡＴ演出状態や、リプレイ役の当選確率が通常遊技より高くなるように設定してメダルの消費を抑えることで、メダルの消費に対する当選役の抽選機会を増やす、ＲＴ（リプレイタイム）遊技や、上記のＡＴとＲＴ遊技が同時に進行されるＡＲＴ遊技を設けてもよい。
【０１３２】
また、上述した主制御基板２００および副制御基板２０２が行う各処理は、必ずしもフローチャートとして記載された順序に沿って時系列に処理する必要はなく、並列的あるいはサブルーチンによる処理を含んでもよい。
【０１３３】
また、上述した実施形態においては、演出役物が２つ設けられている場合について説明したが、演出役物の数はいくつであってもよい。
【０１３４】
また、上述した実施形態においては、電源を投入する、管理者メニュー４００から搬送時設定アイコン４０６を選択する、または、前面上扉１０４および前面下扉１０６を筐体１０２に対して開放するといった管理者の操作に起因して、演出役物１３９ａ、１３９ｂを搬送位置に移動、維持させるようにした。しかしながら、演出役物１３９ａ、１３９ｂを搬送位置に移動、維持する管理者の操作は、遊技者が操作することができず、管理者のみが操作することができる操作であれば、これらに限らない。例えば、電源が投入されているときに、前面上扉１０４および前面下扉１０６が筐体１０２に対して開放された後、管理者が、筐体１０２内（例えば、回転リール１３４ａ、１３４ｂ、１３４ｃの上方）に設けられた設定変更を行うための設定変更スイッチを操作することで、演出役物１３９ａ、１３９ｂを搬送位置に移動、維持させるようにしてもよい。また、電源が投入されているときに、前面上扉１０４および前面下扉１０６が筐体１０２に対して開放された後、管理者が設定変更スイッチを操作することで管理者メニュー４００を表示し、管理者メニュー４００が表示されているときに搬送時設定アイコン４０６を選択することで、演出役物１３９ａ、１３９ｂを搬送位置に移動、維持させるようにしてもよい。
【０１３５】
また、上述した実施形態においては、前面上扉１０４および前面下扉１０６の２つの扉が設けられている場合について説明したが、扉は１つであってもよく、また、３つ以上であってもよい。
【０１３６】
また、上述した実施形態においては、演出役物１３９ａの原点位置と搬送位置が同じ位置であり、演出役物１３９ｂの原点位置と搬送位置が異なる位置である場合について説明したが、原点位置と搬送位置とは同じ位置でも異なる位置であってもよい。
【符号の説明】
【０１３７】
１００  スロットマシン（遊技機）
１３９ａ、１３９ｂ  演出役物
３３６  演出役物制御手段
【図１】
2018061525.tif 000003
【図２】
2018061525.tif 000004
【図３】
2018061525.tif 000005
【図４】
2018061525.tif 000006
【図５】
2018061525.tif 000007
【図６】
2018061525.tif 000008
【図７】
2018061525.tif 000009
【図８】
2018061525.tif 000010
【図９】
2018061525.tif 000011
【図１０】
2018061525.tif 000012
【図１１】
2018061525.tif 000013
【図１２】
2018061525.tif 000014
【図１３】
2018061525.tif 000015
【図１４】
2018061525.tif 000016
【図１５】
2018061525.tif 000017
【図１６】
2018061525.tif 000018
【図１７】
2018061525.tif 000019